【手続補正書】
【提出日】平成22年3月11日(2010.3.11)
【手続補正１】
【補正対象書類名】特許請求の範囲
【補正対象項目名】全文
【補正方法】変更
【補正の内容】
【特許請求の範囲】
【請求項１】
Ｎ個（Ｎは２以上の整数）の発光部を副走査方向と主走査方向に対して各々傾けて配列した光源手段と、前記Ｎ個の発光部から射出されたＮ個の光束を偏向走査する偏向手段と、前記光源手段から射出されたＮ個の光束を前記偏向手段に導光する入射光学系と、前記偏向手段で偏向走査されたＮ個の光束を被走査面に導光する結像光学系と、前記偏向手段で偏向走査された光束の一部を検出して前記被走査面の上におけるＮ個の光束の書き出しタイミング信号を生成する同期信号検出手段と、前記偏向手段で偏向走査されたＮ個の光束を前記同期信号検出手段に導光する同期検出用光学系と、を有する光走査装置において、
前記偏向手段の偏向面で偏向走査され前記同期信号検出手段に入射するＮ個の光束のうち少なくとも１個の光束は、前記偏向面で光束の一部が蹴られており、
前記偏向手段の偏向面で偏向走査され前記同期信号検出手段に入射するＮ個の光束のうち前記偏向面で蹴られる光量が多い光束を前記同期信号検出手段にて検出せず、前記偏向手段の偏向面で偏向走査され前記同期信号検出手段に入射するＮ個の光束のうち前記偏向面で蹴られる光量が少ない光束を前記同期信号検出手段にて検出して書き出しタイミング信号を決定することを特徴とする光走査装置。
【請求項２】
Ｎ個（Ｎは２以上の整数）の発光部を副走査方向と主走査方向に対して各々傾けて配列した光源手段をＭ個（Ｍは２以上の整数）と、Ｎ×Ｍ個の発光部から射出されたＮ×Ｍ個の光束を偏向走査する偏向手段と、前記Ｍ個の光源手段から射出されたＮ×Ｍ個の光束を前記偏向手段に導光する入射光学系と、前記偏向手段で偏向走査されたＮ×Ｍ個の光束を被走査面に導光する結像光学系と、前記偏向手段で偏向走査された光束の一部を検出して前記被走査面の上におけるＮ×Ｍ個の光束の書き出しタイミング信号を生成する同期信号検出手段と、前記偏向手段で偏向走査されたＮ×Ｍ個の光束を前記同期信号検出手段に導光する同期検出用光学系と、を有する光走査装置において、
前記偏向手段の偏向面で偏向走査され前記同期信号検出手段に入射するＮ個の光束のうち少なくとも１個の光束は、前記偏向面で光束の一部が蹴られており、
前記偏向手段の偏向面で偏向走査され前記同期信号検出手段に入射するＮ個の光束のうち前記偏向面で蹴られる光量が多い光束を前記同期信号検出手段にて検出せず、前記偏向手段の偏向面で偏向走査され前記同期信号検出手段に入射するＮ個の光束のうち前記偏向面で蹴られる光量が少ない光束を前記同期信号検出手段にて検出して書き出しタイミング信号を決定することを特徴とする光走査装置。
【請求項３】
Ｎ個（Ｎは２以上の整数）の発光部を主走査方向と副走査方向に対して各々傾けて配列した光源部を副走査方向にＳ個（Ｓは２以上の整数）配列した光源手段と、Ｎ×Ｓ個の発光部から射出されたＮ×Ｓ個の光束を偏向走査する偏向手段と、前記光源手段から射出されたＮ×Ｓ個の光束を前記偏向手段に導光する入射光学系と、前記偏向手段で偏向走査されたＮ×Ｓ個の光束を被走査面に導光する結像光学系と、前記偏向手段で偏向走査された光束の一部を検出して前記被走査面の上におけるＮ×Ｓ個の光束の書き出しタイミング信号を生成する同期信号検出手段と、前記偏向手段で偏向走査されたＮ×Ｓ個の光束を前記同期信号検出手段に導光する同期検出用光学系と、を有する光走査装置において、
前記偏向手段の偏向面で偏向走査され前記同期信号検出手段に入射するＮ個の光束のうち少なくとも１個の光束は、前記偏向面で光束の一部が蹴られており、
前記偏向手段の偏向面で偏向走査され前記同期信号検出手段に入射するＮ個の光束のうち前記偏向面で蹴られる光量が多い光束を前記同期信号検出手段にて検出せず、前記偏向手段の偏向面で偏向走査され前記同期信号検出手段に入射するＮ個の光束のうち前記偏向面で蹴られる光量が少ない光束を前記同期信号検出手段にて検出して書き出しタイミング信号を決定することを特徴とする光走査装置。
【請求項４】
前記偏向手段は、回転多面鏡であり、前記書き出しタイミング信号はＮ個の発光部から射出された光束のうち、前記被走査面を最も後に走査する発光部から射出された光束を検出して決定されていることを特徴とする請求項１乃至３のいずれか１項に記載の光走査装置。
【請求項５】
前記被走査面の上に換算したときの前記同期検出用光学系の書き出しタイミングを検知する像高をＹＢＤ、前記光源手段のＮ個の発光部の主走査方向の最大距離をＷ、前記入射光学系の主走査断面内の焦点距離をｆcol、前記結像光学系の主走査断面内の焦点距離をｆｆθ、前記被走査面の上の有効画像幅をＹＷとするとき、
｜ＹＢＤ｜≧Ｗ×ｆｆθ／ｆcol ＋｜ＹＷ／２｜
なる条件を満足することを特徴とする請求項１乃至４のいずれか１項に記載の光走査装置。
【請求項６】
前記光源手段は面発光レーザーであることを特徴とする請求項１乃至５のいずれか１項に記載の光走査装置。
【請求項７】
前記書き出しタイミング信号の検知用に用いられない光束に対する書き出しタイミング信号は、前記書き出しタイミング信号を検出する光束の書き出しタイミング信号を基準に、予め定められていることを特徴とする請求項１乃至３のいずれか１項に記載の光走査装置。
【請求項８】
前記偏向手段の偏向面で偏向走査され前記同期信号検出手段に入射するＮ個の光束のうち前記偏向面で光束の一部が蹴られた光束を前記同期信号検出手段にて検出せず、前記偏向手段の偏向面で偏向走査され前記同期信号検出手段に入射するＮ個の光束のうち前記偏向面で光束の一部が蹴られなかった光束を同期信号検出手段にて検出して書き出しタイミング信号を決定することを特徴とする請求項１乃至７のいずれか１項に記載の光走査装置。
【請求項９】
請求項１乃至８のいずれか１項に記載の光走査装置と、前記被走査面に配置された感光体と、前記光走査装置で走査された光ビームによって前記感光体の上に形成された静電潜像をトナー像として現像する現像器と、現像されたトナー像を被転写材に転写する転写器と、転写されたトナー像を被転写材に定着させる定着器とを有することを特徴とする画像形成装置。
【請求項１０】
請求項１乃至８のいずれか１項に記載の光走査装置と、外部機器から入力したコードデータを画像信号に変換して前記光走査装置に入力せしめるプリンタコントローラとを有していることを特徴とする画像形成装置。
【手続補正２】
【補正対象書類名】明細書
【補正対象項目名】００１３
【補正方法】変更
【補正の内容】
【００１３】
請求項１の発明の光走査装置は、Ｎ個（Ｎは２以上の整数）の発光部を副走査方向と主走査方向に対して各々傾けて配列した光源手段と、前記Ｎ個の発光部から射出されたＮ個の光束を偏向走査する偏向手段と、前記光源手段から射出されたＮ個の光束を前記偏向手段に導光する入射光学系と、前記偏向手段で偏向走査されたＮ個の光束を被走査面に導光する結像光学系と、前記偏向手段で偏向走査された光束の一部を検出して前記被走査面の上におけるＮ個の光束の書き出しタイミング信号を生成する同期信号検出手段と、前記偏向手段で偏向走査されたＮ個の光束を前記同期信号検出手段に導光する同期検出用光学系と、を有する光走査装置において、
前記偏向手段の偏向面で偏向走査され前記同期信号検出手段に入射するＮ個の光束のうち少なくとも１個の光束は、前記偏向面で光束の一部が蹴られており、
前記偏向手段の偏向面で偏向走査され前記同期信号検出手段に入射するＮ個の光束のうち前記偏向面で蹴られる光量が多い光束を前記同期信号検出手段にて検出せず、前記偏向手段の偏向面で偏向走査され前記同期信号検出手段に入射するＮ個の光束のうち前記偏向面で蹴られる光量が少ない光束を前記同期信号検出手段にて検出して書き出しタイミング信号を決定することを特徴としている。
【手続補正３】
【補正対象書類名】明細書
【補正対象項目名】００１４
【補正方法】変更
【補正の内容】
【００１４】
請求項２の発明の光走査装置は、Ｎ個（Ｎは２以上の整数）の発光部を副走査方向と主走査方向に対して各々傾けて配列した光源手段をＭ個（Ｍは２以上の整数）と、Ｎ×Ｍ個の発光部から射出されたＮ×Ｍ個の光束を偏向走査する偏向手段と、前記Ｍ個の光源手段から射出されたＮ×Ｍ個の光束を前記偏向手段に導光する入射光学系と、前記偏向手段で偏向走査されたＮ×Ｍ個の光束を被走査面に導光する結像光学系と、前記偏向手段で偏向走査された光束の一部を検出して前記被走査面の上におけるＮ×Ｍ個の光束の書き出しタイミング信号を生成する同期信号検出手段と、前記偏向手段で偏向走査されたＮ×Ｍ個の光束を前記同期信号検出手段に導光する同期検出用光学系と、を有する光走査装置において、
前記偏向手段の偏向面で偏向走査され前記同期信号検出手段に入射するＮ個の光束のうち少なくとも１個の光束は、前記偏向面で光束の一部が蹴られており、
前記偏向手段の偏向面で偏向走査され前記同期信号検出手段に入射するＮ個の光束のうち前記偏向面で蹴られる光量が多い光束を前記同期信号検出手段にて検出せず、前記偏向手段の偏向面で偏向走査され前記同期信号検出手段に入射するＮ個の光束のうち前記偏向面で蹴られる光量が少ない光束を前記同期信号検出手段にて検出して書き出しタイミング信号を決定することを特徴としている。
【手続補正４】
【補正対象書類名】明細書
【補正対象項目名】００１５
【補正方法】変更
【補正の内容】
【００１５】
請求項３の発明の光走査装置は、Ｎ個（Ｎは２以上の整数）の発光部を主走査方向と副走査方向に対して各々傾けて配列した光源部を副走査方向にＳ個（Ｓは２以上の整数）配列した光源手段と、Ｎ×Ｓ個の発光部から射出されたＮ×Ｓ個の光束を偏向走査する偏向手段と、前記光源手段から射出されたＮ×Ｓ個の光束を前記偏向手段に導光する入射光学系と、前記偏向手段で偏向走査されたＮ×Ｓ個の光束を被走査面に導光する結像光学系と、前記偏向手段で偏向走査された光束の一部を検出して前記被走査面の上におけるＮ×Ｓ個の光束の書き出しタイミング信号を生成する同期信号検出手段と、前記偏向手段で偏向走査されたＮ×Ｓ個の光束を前記同期信号検出手段に導光する同期検出用光学系と、を有する光走査装置において、
前記偏向手段の偏向面で偏向走査され前記同期信号検出手段に入射するＮ個の光束のうち少なくとも１個の光束は、前記偏向面で光束の一部が蹴られており、
前記偏向手段の偏向面で偏向走査され前記同期信号検出手段に入射するＮ個の光束のうち前記偏向面で蹴られる光量が多い光束を前記同期信号検出手段にて検出せず、前記偏向手段の偏向面で偏向走査され前記同期信号検出手段に入射するＮ個の光束のうち前記偏向面で蹴られる光量が少ない光束を前記同期信号検出手段にて検出して書き出しタイミング信号を決定することを特徴としている。
【手続補正５】
【補正対象書類名】明細書
【補正対象項目名】００１６
【補正方法】変更
【補正の内容】
【００１６】
請求項４の発明は請求項１乃至３のいずれか１項の発明において前記偏向手段は、回転多面鏡であり、前記書き出しタイミング信号はＮ個の発光部から射出された光束のうち、前記被走査面を最も後に走査する発光部から射出された光束を検出して決定されていることを特徴としている。
【手続補正６】
【補正対象書類名】明細書
【補正対象項目名】００１７
【補正方法】変更
【補正の内容】
【００１７】
請求項５の発明は請求項１乃至４のいずれか１項の発明において、前記被走査面の上に換算したときの前記同期検出用光学系の書き出しタイミングを検知する像高をＹＢＤ、前記光源手段のＮ個の発光部の主走査方向の最大距離をＷ、前記入射光学系の主走査断面内の焦点距離をｆcol、前記結像光学系の主走査断面内の焦点距離をｆｆθ、前記被走査面の上の有効画像幅をＹＷとするとき、
｜ＹＢＤ｜≧Ｗ×ｆｆθ／ｆcol ＋｜ＹＷ／２｜
なる条件を満足することを特徴としている。
【手続補正７】
【補正対象書類名】明細書
【補正対象項目名】００１８
【補正方法】変更
【補正の内容】
【００１８】
請求項６の発明は請求項１乃至５のいずれか１項の発明において、前記光源手段は面発光レーザーであることを特徴としている。
【手続補正８】
【補正対象書類名】明細書
【補正対象項目名】００１９
【補正方法】変更
【補正の内容】
【００１９】
請求項７の発明は請求項１乃至３のいずれか１項の発明において、前記書き出しタイミング信号の検知用に用いられない光束に対する書き出しタイミング信号は、前記書き出しタイミング信号を検出する光束の書き出しタイミング信号を基準に、予め定められていることを特徴としている。
【手続補正９】
【補正対象書類名】明細書
【補正対象項目名】００２０
【補正方法】変更
【補正の内容】
【００２０】
請求項８の発明は請求項１乃至７のいずれか１項の発明において、前記偏向手段の偏向面で偏向走査され前記同期信号検出手段に入射するＮ個の光束のうち前記偏向面で光束の一部が蹴られた光束を前記同期信号検出手段にて検出せず、前記偏向手段の偏向面で偏向走査され前記同期信号検出手段に入射するＮ個の光束のうち前記偏向面で光束の一部が蹴られなかった光束を同期信号検出手段にて検出して書き出しタイミング信号を決定することを特徴としている。
【手続補正１０】
【補正対象書類名】明細書
【補正対象項目名】００２１
【補正方法】変更
【補正の内容】
【００２１】
請求項９の発明の画像形成装置は、請求項１乃至８のいずれか１項に記載の光走査装置と、前記被走査面に配置された感光体と、前記光走査装置で走査された光ビームによって前記感光体の上に形成された静電潜像をトナー像として現像する現像器と、現像されたトナー像を被転写材に転写する転写器と、転写されたトナー像を被転写材に定着させる定着器とを有することを特徴としている。
【手続補正１１】
【補正対象書類名】明細書
【補正対象項目名】００２２
【補正方法】変更
【補正の内容】
【００２２】
請求項１０の発明の画像形成装置は、請求項１乃至８のいずれか１項に記載の光走査装置と、外部機器から入力したコードデータを画像信号に変換して前記光走査装置に入力せしめるプリンタコントローラとを有していることを特徴としている。
【手続補正１２】
【補正対象書類名】明細書
【補正対象項目名】００５３
【補正方法】変更
【補正の内容】
【００５３】
発光部(1)から出射した光束２０２は、発光部（16）から出射した光束２０３と光軸201を挟んで反対方向に１deg.の角度を有しているため、偏向面６ａでのケラレが発生する。同期検出用センサー１０へ向かう光束の光束幅が発光部(1)から出射した光束の光束幅より狭くなると、同期検出用スリット９上のスポット径が大きくなると共に、光量が低下するので同期検知精度が劣化する。従って本実施例では発光部(16)から出射した光束で同期検知を行っている。
【手続補正１３】
【補正対象書類名】明細書
【補正対象項目名】００８１
【補正方法】変更
【補正の内容】
【００８１】
本実施例においては、直線方向にＮ個（Ｎは２以上の整数）の発光部（本実施例では８個）を副走査方向と主走査方向に対して各々傾けて配列した光源手段をＭ個（Ｍは２以上の整数であり、本実施例では２個の光源手段８０１、８０２）有している。光源手段８０１、８０２は各々モノリシックなマルチ半導体レーザーであるＶＣＳＥＬ（面発光レーザー）より成っている。
【手続補正１４】
【補正対象書類名】明細書
【補正対象項目名】００８３
【補正方法】変更
【補正の内容】
【００８３】
尚、８０２、コリメータレンズ８０３、８０４、球面レンズ８０６、シリンドリカルレンズ８０８は入射光学系ＬＡの一要素を構成している。